(57)【要約】【課題】把持部の高さを調節しても重心が高くならず且つ掃除機本体の寸法を小さくすることができる縦型電気掃除機を提供すること。【解決手段】掃除機本体２と、この掃除機本体２の下部に設けられるノズル３と、前記掃除機本体２の上部に設けられる操作ハンドル４とを有する縦型電気掃除機１において、前記操作ハンドル４が、棒状体８と把持部９とを有して構成され、前記棒状体８の一端即ち下端８Ａ側を、前記掃除機本体２の機構部５に設けられた差込部７に固定すると共に、前記棒状体８の他端即ち上端８Ｂ側に前記把持部９を設け、この把持部９内に設けられた収納部１３に前記棒状体８の上端８Ｂ側を挿入して収納可能とし、前記把持部９に、前記棒状体８と把持部９との位置関係を固定するためのロック手段１５を設けたことで、前記把持部９の高さを調節可能とする。【選択図】図３
2010273735.tif 000002
【特許請求の範囲】
【請求項１】
掃除機本体と、この掃除機本体の下部に設けられるノズルと、前記掃除機本体の上部に設けられる操作ハンドルとを有する縦型電気掃除機において、
前記操作ハンドルが、前記掃除機本体に一端が固定された棒状体と、この棒状体の他端側に設けられる把持部とを有して構成され、この把持部内に、前記棒状体の他端側を挿入して収納するための収納部を設けると共に、前記把持部に、前記棒状体と把持部との位置関係を固定するためのロック手段を設けたことを特徴とする縦型電気掃除機。
【請求項２】
前記棒状体の寸法を、前記収納部の寸法以下としたことを特徴とする請求項１記載の縦型電気掃除機。
【発明の詳細な説明】
【技術分野】
【０００１】
本発明は、縦型電気掃除機に関するものである。
【背景技術】
【０００２】
従来、この種の縦型電気掃除機としては、掃除機本体と、この掃除機本体の下部に設けられたノズルと、本体の上部に設けられた操作ハンドルとを有するものが知られている。そして、これらの縦型掃除機では、使用者の体格によって、前記操作ハンドルの把持部の高さを調節できることが望ましい。このため、従来、掃除機本体にパイプ収納部を設け、このパイプ収納部にハンドル体（本願発明の操作ハンドルに相当する）のハンドルパイプを挿入することで、掃除機本体に対してハンドル体が伸縮自在となるように構成された縦型電気掃除機が知られている（例えば、特許文献１参照。）。また、本体部材（本願発明の掃除機本体に相当する）に外管を設けると共に、この外管内を自在に摺動し且つ先端に床用吸込具（本願発明のノズルに相当する）が接続された内管を設け、前記内管を前記外管から引き出して任意の位置で固定することで、把手（本願発明の把持部に相当する）の高さを調節可能とした電気掃除機も知られている（例えば、特許文献２参照。）。
【先行技術文献】
【特許文献】
【０００３】
【特許文献１】特開平７−１２４０７３号公報
【特許文献２】実開昭６３−１９２９５１号公報
【発明の概要】
【発明が解決しようとする課題】
【０００４】
しかしながら、特許文献１のような縦型電気掃除機は、前記ハンドル体のハンドルパイプを収納するためのパイプ収納部を、前記掃除機本体の内部に、電動送風機を避けるように設ける必要があるため、前記掃除機本体自体の寸法、特に奥行き寸法が大きくなってしまうという問題があった。また、特許文献２のような電気掃除機は、前記把手の高さを調節するために、電動送風機やコード巻取装置等の重量物が内蔵された本体部材よりも下方に前記内管を引き出すと、只でさえ高い重心が更に高くなってしまうので、不使用時に前記電気掃除機が倒れやすくなったり、使用時に前記電気掃除機の操作がし難くなったりするという問題があった。
【０００５】
本発明は以上の問題点を解決し、把持部の高さを調節しても重心が高くならず且つ掃除機本体の寸法を小さくすることができる縦型電気掃除機を提供することを目的とする。
【課題を解決するための手段】
【０００６】
本発明の請求項１に記載の縦型電気掃除機は、掃除機本体と、この掃除機本体の下部に設けられるノズルと、前記掃除機本体の上部に設けられる操作ハンドルとを有する縦型電気掃除機において、前記操作ハンドルが、前記掃除機本体に一端側が固定された棒状体と、この棒状体の他端側に設けられる把持部とを有して構成され、この把持部内に、前記棒状体の他端側を挿入して収納するための収納部を設けると共に、前記把持部に、前記棒状体と把持部との位置関係を固定するためのロック手段を設けたものである。
【０００７】
また、本発明の請求項２に記載の縦型電気掃除機は、請求項１において、前記棒状体の寸法を、前記収納部の寸法以下としたものである。
【発明の効果】
【０００８】
本発明の請求項１に記載の縦型電気掃除機は、以上のように構成することにより、前記掃除機本体に固定された棒状体に対して前記把持部を摺動させ、この把持部を前記ロック手段によって所望の位置で前記棒状体に対して保持させることで、前記把持部の高さを調節することができる。そして、前記把持部の高さを調節しても、掃除機本体自体の高さが変化しないので、縦型電気掃除機全体の重心が高くなることを抑制することができるばかりでなく、前記掃除機本体が前記棒状体を出没自在に収納するための構造を有さないことで、掃除機本体の大型化を抑制することができる。
【０００９】
また、前記棒状体の寸法を前記収納部の寸法以下としたことで、前記棒状体を全て前記収納部に収納することができるので、不使用時等に前記棒状体を全て前記把持部に収納して寸法を小さくすることができる。
【図面の簡単な説明】
【００１０】
【図１】本発明の一実施形態を示す縦型電気掃除機の、把持部を最も高くした状態における正面図である。
【図２】同、把持部を最も高くした状態における側面図である。
【図３】同、把持部を最も高くした状態における前記操作ハンドルの拡大断面図である。
【図４】同、ロック手段周辺の拡大断面図である。
【図５】同、把持部を最も低くした状態における正面図である。
【図６】同、把持部を最も低くした状態における側面図である。
【図７】同、把持部を最も低くした状態における前記操作ハンドルの拡大断面図である。
【発明を実施するための形態】
【００１１】
以下、本発明の実施形態について、図１乃至図７に基づいて説明する。なお、本実施形態では、便宜上、図１の姿勢に基づいて上下及び前後を規定する。１は本発明の縦型電気掃除機である。この縦型電気掃除機１は、掃除機本体２と、ノズル３と、操作ハンドル４とを有して構成されている。
【００１２】
前記掃除機本体２は、図示しない電動送風機等が内蔵された機構部５と、この機構部５の下方に着脱自在に取り付けられた集塵部６とを有して構成されている。なお、この集塵部６は、気流中の塵埃を分離して溜めるものであれば、その形式を問わない。また、前記機構部５の上部には、後述する棒状体８の下端（一端）８Ａ側を差し込んで着脱自在に固定するための差込部７が設けられている。更に、前記掃除機本体２を構成する前記集塵部６の下部には、前記ノズル３が着脱自在に取り付けられている。
【００１３】
前記操作ハンドル４は、棒状体８と、把持部９とを有して構成されている。前記棒状体８は、その前面に複数の位置決め凹部１０を有すると共に、その背面に案内溝１１を有する。なお、前記位置決め凹部１０は、等間隔に形成されている。また、前記位置決め凹部１０の数は任意である。また、前記棒状体８の上端（他端）８Ｂには、摺動接触体１２が取り付けられている。そして、前記把持部９は、収納部１３と、この収納部１３の下端の入口に取り付けられた案内部１４と、この案内部１４上に設けられたロック手段１５とを有して構成されている。前記収納部１３には、ほぼ円筒状の筒状体１６が設けられている。なお、前記収納部１３内の軸方向寸法Ｌ１は、前記棒状体８における前記差込部７よりも上の軸方向寸法Ｌ２よりも長くなるように構成されている。また、前記収納部１３内の筒状体１６の内径Ｒ１は、前記棒状体８の外径Ｒ２よりも大きく形成されている。一方、前記摺動接触体１２は、前記筒状体１６の内面に圧接している。また、前記案内部１４は、その内径Ｒ３が前記棒状体８の内径Ｒ２とほぼ等しく形成されている。また、前記案内部１４には、前記案内溝１１と協働して前記把持部９の軸回りの回動を阻止するための案内突部１７が形成されている。更に、前記ロック手段１５は、操作部１８と、前記位置決め凹部１０と係合するロックピン１９と、このロックピン１９を前記位置決め凹部１０に押し付ける押圧手段２０と、この押圧手段２０が前記ロックピン１９を前記位置決め凹部１０に押し付ける方向に前記操作部１８を付勢する付勢手段２１とを有して構成されている。
【００１４】
次に、本実施形態の作用について説明する。まず、使用者は、前記ロック手段１５を操作することで、使用者自身の体格に合わせて、前記把持部９を所望の高さに調節する。この際、使用者は、前記ロック手段１５の操作部１８を前記付勢手段２１の付勢力に抗して下方に移動させる。このように、前記操作部１８が下方に移動させられると、この操作部１８と係合している前記押圧手段２０も、前記操作部１８に連動して下方に移動させられる。そして、前記押圧手段２０が下方に移動すると、この押圧手段２０によって前記棒状体８の位置決め凹部１０に押し付けられていた前記ロックピン１９の前後方向の移動が自由になる。この状態で、前記把持部９を上下に移動させることで、この把持部９の高さを調節することができる。なお、前記案内溝１１と案内突部１７によって、前記把持部９が軸回りに回動することが抑制され、前記把持部９が軸方向へ移動することのみが許容される。
【００１５】
まず、前記把持部９の高さを高く調節する場合、前記ロック手段１５の操作部１８を下方に移動させたままの状態で、前記把持部９を上方に移動させる。これによって、前記棒状体８が、前記収納部１３から相対的に引き出されることになる。この際、上述したように、前記ロックピン１９の前後方向の移動が自由であるため、前記ロックピン１９は、前記把持部９を上方に動かすことで、前記位置決め凹部１０を乗り越えて上方の他の位置決め凹部１０と係合することが可能となる。そして、使用者は、前記ロックピン１９が所望の前記位置決め凹部１０と係合する位置で、前記操作部１８から指を離す。この操作部１８から指を離すことで、前記付勢手段２１によって、前記操作部１８及びこの操作部１８と係合している前記押圧手段２０が押し上げられる。そして、この押圧手段２０が押し上げられることで、前記ロックピン１９が前記棒状体８の位置決め凹部１０に押し付けられる。そして、前記ロックピン１９が前記位置決め凹部１０と係合した状態で押し付けられることで、前記把持部９が軸方向に移動することができなくなる。このようにして、前記把持部９の前記棒状体８に対する位置関係が固定される。
【００１６】
逆に、前記把持部９の高さを低く調節する場合、前記ロック手段１５の操作部１８を下方に移動させたままの状態で、前記把持部９を下方に移動させる。これによって、前記棒状体８が、前記収納部１３内に相対的に押し込まれることになる。この際、上述したように、前記ロックピン１９の前後方向の移動が自由であるため、前記ロックピン１９は、前記把持部９を下方に動かすことで、前記位置決め凹部１０を乗り越えて下方の他の位置決め凹部１０と係合することが可能となる。そして、使用者は、前記ロックピン１９が所望の前記位置決め凹部１０と係合する位置で、前記操作部１８から指を離す。この操作部１８から指を離すことで、前記付勢手段２１によって、前記操作部１８及びこの操作部１８と係合している前記押圧手段２０が押し上げられる。そして、この押圧手段２０が押し上げられることで、前記ロックピン１９が前記棒状体８の位置決め凹部１０に押し付けられる。そして、前記ロックピン１９が前記位置決め凹部１０と係合した状態で押し付けられることで、前記把持部９が軸方向に移動することができなくなる。このようにして、前記把持部９の前記棒状体８に対する位置関係が固定される。
【００１７】
このように、前記把持部９の高さを調節した後、前記掃除機本体２に設けられた図示しない操作スイッチを操作することで、同じく図示しない電動送風機が作動し、前記ノズル３から塵埃を含んだ気流が吸引され、前記集塵部６で気流から塵埃が分離されて溜められる。そして使用者は、高さが調節された前記把持部９を把持し、前記縦型電気掃除機１を床面等の被清掃面上で移動させることで、被清掃面を良好に清掃することができる。
【００１８】
なお、前記縦型電気掃除機１を使用しない場合、前記棒状体８を前記収納部１３内に最大限収納しておくことが望ましい。そして、前述したように、前記収納部１３内の軸方向寸法Ｌ１が、前記棒状体８における前記差込部７よりも上の軸方向寸法Ｌ２よりも長くなるように構成されているので、前記棒状体８は、前記把持部９の収納部１３内に全て収納される。従って、前記縦型電気掃除機１は、その不使用時等に前記棒状体８を全て前記把持部９の収納部１３に収納して、全体の寸法を小さくすることができる。
【００１９】
更に、前記縦型電気掃除機１は、前記把持部９の収納部１３内に前記棒状体８が収納される構造、即ち、前記操作ハンドル４自体の長さが調節可能な構造になっているので、従来技術のように、前記掃除機本体２の機構部５に前記棒状体８を出没自在に収納するための構造を設ける必要がなく、前記掃除機本体２の大型化を抑制することができる。また、前記縦型電気掃除機１は、前記把持部９の高さを調節しても、従来技術のように、前記掃除機本体２の高さが変化することがないので、縦型電気掃除機１全体の重心が高くなることを抑制することもできる。
【００２０】
以上のように、本発明は、掃除機本体２と、この掃除機本体２の下部に設けられるノズル３と、前記掃除機本体２の上部に設けられる操作ハンドル４とを有する縦型電気掃除機１において、前記操作ハンドル４が、棒状体８と把持部９とを有して構成され、前記棒状体８の一端即ち下端８Ａ側を、前記掃除機本体２を構成する機構部５に設けられた差込部７に固定すると共に、前記棒状体８の他端即ち上端８Ｂ側に前記把持部９を設け、この把持部９内に設けられた収納部１３に前記棒状体８の上端８Ｂ側を挿入して収納可能とし、前記把持部９に、前記棒状体８と把持部９との位置関係を固定するためのロック手段１５を設けたことで、前記把持部９の高さを調節することができるものである。そして、前記把持部９の高さを調節しても、掃除機本体２自体の高さが変化しないので、縦型電気掃除機１全体の重心が高くなることを抑制することができるばかりでなく、前記掃除機本体２が前記棒状体８を出没自在に収納するための構造を有さないことで、掃除機本体２の大型化を抑制することができるものである。
【００２１】
また、前記棒状体８の前記差込部７より上の寸法Ｌ２を、前記収納部１３の軸方向寸法Ｌ１以下としたことで、前記棒状体８を全て前記収納部１３に収納することができるので、不使用時等に前記棒状体８を全て前記把持部９に収納して、縦型電気掃除機１全体の寸法を小さくすることができるものである。
【００２２】
なお、本発明は以上の実施形態に限定されるものではなく、発明の要旨の範囲内で種々の変形実施が可能である。例えば、上記実施形態では、前記棒状体が掃除機本体の機構部の差込部に対して着脱自在に取り付けられているが、要は、掃除機本体の側に前記操作ハンドルを出没自在に収納する構造を設けなければ良いので、前記掃除機本体に対して前記棒状体を着脱困難な状態で固定したり、固着したりしても良い。また、ロック手段の構成も適宜選択が可能である。
【符号の説明】
【００２３】
１  縦型電気掃除機
２  掃除機本体
３  ノズル
４  操作ハンドル
８  棒状体
８Ａ  下端（一端）
８Ｂ  上端（他端）
９  把持部
１３  収納部
１５  ロック手段
【図１】
2010273735.tif 000003
【図２】
2010273735.tif 000004
【図３】
2010273735.tif 000005
【図４】
2010273735.tif 000006
【図５】
2010273735.tif 000007
【図６】
2010273735.tif 000008
【図７】
2010273735.tif 000009